(57)【要約】【課題】専用のソフトウェアを用いることなく、画像や音声等のプレゼンテーション用データを自動的に出力できるのは勿論のこと、それらデータの出力タイミング等のプレゼンテーション動作を自動的に実行する。【解決手段】各種プレゼンテーション用データおよび各種プレゼンテーション動作と、これらデータおよび動作にリンクするバーコードを記憶部に登録し、必要なデータおよびプレゼンテーション動作にリンクするバーコードを、プログラム順に台紙に貼る。台紙に貼ったバーコードを撮像部で順次読み取り、バーコードにリンクするプレゼンテーション動作を実行させながらデータを出力させる。【選択図】　　　　図２
2004020889.tif 000002
【特許請求の範囲】
【請求項１】
プレゼンテーション用データおよび該プレゼンテーション用データにリンクするデータ固有情報と、プレゼンテーション動作および該プレゼンテーション動作にリンクする動作固有情報とが登録される記憶部と、
前記記憶部に登録されたプレゼンテーション用データをデータ出力手段に供給する制御部と、
前記データ固有情報および前記動作固有情報を読み取る読取手段とを備え、
前記制御部は、前記読取手段で読み取った前記動作固有情報にリンクするプレゼンテーション動作を実行しながら、前記読取手段で読み取った前記データ固有情報にリンクするプレゼンテーション用データを前記記憶部から抽出して前記データ出力手段に供給することを特徴とするプレゼンテーションシステム。
【請求項２】
前記プレゼンテーション用データは画像であり、前記データ出力手段は画像表示手段であることを特徴とする請求項１に記載のプレゼンテーションシステム。
【請求項３】
前記プレゼンテーション用データは音声であり、前記出力手段は音声発生手段であることを特徴とする請求項１に記載のプレゼンテーションシステム。
【請求項４】
前記動作固有情報が画像のページ情報であることを特徴とする請求項２または３に記載のプレゼンテーションシステム。
【請求項５】
前記データ固有情報および前記動作固有情報を、バーコード、二次元バーコード、文字、記号等の情報形態に保持し、これらデータ固有情報および動作固有情報を前記読取手段で読み取ることを特徴とする請求項１〜４のいずれかに記載のプレゼンテーションシステム。
【請求項６】
前記読取手段が撮像手段であることを特徴とする請求項５に記載のプレゼンテーションシステム。
【請求項７】
前記情報形態をシートに保持し、このシートを、前記読取手段が情報形態を読み取り可能とする定位置にセットするための位置決め手段を備えていることを特徴とする請求項５または６に記載のプレゼンテーションシステム。
【請求項８】
前記情報形態が保持された位置を前記読取手段に検出させるための位置情報マークが付加されていることを特徴とする請求項７に記載のプレゼンテーションシステム。
【発明の詳細な説明】
【０００１】
【発明の属する技術分野】
本発明は、プレゼンテーション用の画像や音声等のデータを、各データに応じた出力手段で出力しながらプレゼンテーションを行うにあたり、データの出力はもとより、データの出力タイミング等のプレゼンテーション動作を自動的に実行することを可能とするシステムに関する。
【０００２】
【従来の技術】
スクリーン等の画像表示装置に原稿や写真等の画像を表示しながら、講演、商品の説明、授業等を行うにあたり（この種のパフォーマンスをここではプレゼンテーションと称する）、近年ではＯＨＰに代わってプロジェクタ（パソコン）が多く利用されている。その場合、パソコンの記憶装置に記憶された画像を出力しながら、それに対してプレゼンターが説明を展開していくのである。パソコンの普及に伴ってプレゼンテーションの多様性も拡がり、そのような事情から、複数の画像を自動的に連続して表示していくプレゼンテーション用ソフトウェアが提供されている。
【０００３】
【発明が解決しようとする課題】
上記プレゼンテーション用ソフトウェアは、画像が自動的に表示されていくので、資料の差し替え等の手作業が不要になることを特長としているものである。しかしながら、ソフトウェアに適合した資料を作成することが求められることから、資料を作成するに際し煩雑で時間がかかり、また、そのようなソフトウェアを利用するには相応の知識を必要とするので、手軽に、かつ多くの人が利用するには適当ではなかった。また、作成した資料はそのソフトウェア専用としてしか利用できない場合が多く、したがって、資料の再利用が難しく、汎用性の面でも不利であった。
【０００４】
よって本発明は、専用のソフトウェアを用いることなく、画像や音声等のプレゼンテーション用データを自動的に出力できるのは勿論のこと、それらデータの出力タイミング等のプレゼンテーション動作を自動的に実行でき、また、用いる資料の作成が容易で、汎用性を持たせることもできるプレゼンテーションシステムを提供することを目的としている。
【０００５】
【課題を解決するための手段】
本発明は、プレゼンテーション用データおよび該プレゼンテーション用データにリンクするデータ固有情報と、プレゼンテーション動作および該プレゼンテーション動作にリンクする動作固有情報とが登録される記憶部と、記憶部に登録されたプレゼンテーション用データをデータ出力手段に出力する制御部と、データ固有情報および動作固有情報を読み取る読取手段とを備え、制御部は、読取手段で読み取った動作固有情報にリンクするプレゼンテーション動作を実行しながら、読取手段で読み取ったデータ固有情報にリンクするプレゼンテーション用データを記憶部から抽出してデータ出力手段に供給することを特徴とする。
【０００６】
本発明でのプレゼンテーション用データ（以下、単にデータと称する）とは、文字列、図面あるいは写真等の画像の他に、音楽、ナレーション等の音声が挙げられ、１つのデータが、読取手段で読み取られる１つのデータ固有情報にリンクされて記憶部に登録される。また、本発明でのプレゼンテーション用動作とは、例えば、データを出力するまで一定時間待機させたり、次のデータが任意に入力されるまで待機したりするなどといったデータの出力タイミングや、データが画像である場合のページの送りや戻しといったページの移動、さらにはデータ出力の終了等、様々なデータ出力に関する制御動作を言う。そして、このプレゼンテーション用動作とリンクされて、動作固有情報が記憶部に登録される。
【０００７】
本発明では、データ固有情報と動作固有情報とを、実行しようとするプレゼンテーションに合わせて例えば順番に整列させ、これら各情報を読取手段で整列順に読み取らせる。読み取った固有情報は制御部に供給され、制御部は動作固有情報にリンクするプレゼンテーション動作を実行しながら、データ固有情報にリンクするデータを出力する。したがって、従来の専用の自動表示ソフトウェアを用いることなく、データの連続的かつ自動的な出力が可能になるとともに、プレゼンテーション動作が自動的に指示されてデータの出力動作が自動制御される。
【０００８】
本発明によれば、プレゼンテーション動作を本システムに委ねることができるので、プレゼンターの負担が軽減され、場合によってはプレゼンターを配することなくプレゼンテーションを実施することができる。また、遠隔したプレゼンテーション会場で同じ内容のプレゼンテーションを実施することも可能である。本発明のシステムに用いるデータ用の資料は、従来のように専用の自動表示ソフトウェアに適合させる必要はなく、画像や音声等をそのまま利用できるので、資料の作成が容易であるとともに、その資料は汎用性を有する。そして、特に専用の知識を要することなく簡単に使用することができるので、手軽に、かつ多くの人が利用できる。
【０００９】
本発明におけるデータは、画像や音声が挙げられる。データが画像の場合、出力手段はディスプレイや液晶プロジェクタ等の画像表示手段になり、データが音声の場合の出力手段はスピーカ等の音声発生手段となる。データが画像である場合には、データ固有情報が画像データのページ情報であることを含む。
【００１０】
本発明のデータ固有情報および動作固有情報としては、バーコード、二次元バーコード、文字、記号等の情報形態を用いることができる。このような情報形態をデータ固有情報および動作固有情報とした場合の読取手段は、バーコードの場合であればバーコードリーダーであり、他には、カメラ等の撮像手段が挙げられる。
【００１１】
データ固有情報および動作固有情報を上記のような情報形態とした場合、その情報形態をシートに保持することができる。本発明では、そのようなシートを、読取手段が情報形態を読み取り可能とする定位置にセットするための位置決め手段を備えていることを含む。この構成によると、シートを位置決め手段によって読取手段の読み取り可能な定位置に簡単にセットすることができ、その状態から速やかに各固有情報を読み取ることができる。上記情報形態を読取手段が速やかに読み取り可能とする方法としては、情報形態が保持された位置を読取手段に検出させるための位置情報マークを付加することによっても可能である。
【００１２】
【発明の実施の形態】
以下、図面を参照して本発明の一実施形態を説明する。
図１は、一実施形態に係るシステムの具体的イメージを示しており、図２はシステムの構成および機能を示すブロック図である。図１で符号１０は資料提示装置、２０は図示せぬスクリーンに画像を投影する液晶プロジェクタ等の投影装置である。
【００１３】
図１に示すように、資料提示装置１０は、資料載置台１１と、この資料載置台１１にアーム１２を介して支持されたカメラ１３を備えた撮像部１４とから構成されている。カメラ１３は、資料載置台１１にセットされた原稿等の資料を撮像するほか、後述するバーコードを撮像して読み取る。資料載置台１１の内部には、図２に示した制御部３０が収納されており、カメラ１３で撮像された画像データは、制御部３０に供給される。
【００１４】
図２に示すように、撮像部１４は、カメラ１３の他に、カメラ１３が赤外光のみを撮像可能とする光学フィルタ１５と、資料載置台１１に向けて赤外光を照射する赤外光ライト１６とを有している。光学フィルタ１５は、カメラ１３に対して、該カメラ１３の撮像光路中に挿脱自在に設けられており、撮像光路中に挿入された状態と外れた状態のいずれかに、手動あるいは自動制御により切り換えられるようになっている。
【００１５】
制御部３０には、図１に示すパソコン４０が外部から接続されている。このパソコン４０は、図２に示すように記憶部４１を有している。この記憶部４１には、プレゼンテーションに用いる画像データや音声データが記憶される。それらデータは、例えば、１つ１つのデータを特定するためのバーコードがシールに印字された状態で付加された資料集（文献や教科書等）の内容を収めたＣＤ−ＲＯＭからコピーするなどの方法で、記憶部４１に記憶される。図２に示すように、記憶部４１に記憶されたデータは制御部３０によって抽出され、データが画像の場合には投影装置２０にその画像データが供給され、データが音声の場合にはその音声データがスピーカ２１に供給される。スピーカ２１は、資料載置台１１に内蔵してもよい。
【００１６】
資料載置台１１には、図１に示すように、後述する登録スイッチ１７と、データ読み取り中および読み取り終了を点灯によって知らせるＬＥＤ等からなる表示灯１８と、プレゼンテーションの開始スイッチ１９が設けられている。登録スイッチ１７あるいは開始スイッチ１９を押さない通常モードでは、資料載置台１１に置かれた原稿等の資料画像は、カメラ１３で撮像され、投影装置２０を経てスクリーンに投影される。
【００１７】
さて、本システムでは、上記資料集に収められた１つ１つのデータに付加されたバーコードを事前にカメラ１３で読み取ってデータにリンクするデータ固有情報を取得し、そのデータ固有情報にリンクするデータを記憶部４１から抽出して出力する。また、資料集には、各種プレゼンテーション動作にリンクする動作固有情報を保持したバーコードも付加されている。プレゼンテーション動作とは、例えば、データを出力するまで一定時間待機させたり、次のデータが任意に入力されるまで待機したりするなどといったデータの出力タイミングや、データが画像である場合のページの送りや戻しといったページの移動、さらにはデータ出力の終了等、プレゼンテーションを進める上でのデータ出力の動作である。
【００１８】
制御部３０は、このようなプレゼンテーション動作にリンクする動作固有情報と、上記データ情報とをカメラ１３の撮像から取得するとともに、プレゼンテーション全体のプログラムを取得順に組み立て、それにしたがってデータを出力する。データ固有情報および動作固有情報を保持する複数のバーコードをカメラ１３に読み取らせるには、上記資料集から、プレゼンテーションに必要なデータおよびプレゼンテーション動作に対応するバーコードのシールを剥がし、そのシールを例えば専用の台紙に順番に貼ってそれをカメラ１３に読み取らせる。なお、ここではシールを含めてバーコードと称する。
【００１９】
なお、プレゼンテーションに必要なデータが資料集に収められていない場合には、そのようなデータを独自のデータとして記憶部４１に登録すればよい。図３は、独自のデータが画像の場合の動作例を示している。この場合、まず、独自の画像データにリンクさせる固有情報を保持したバーコードを資料載置台１１の定位置に置き、登録スイッチ１７を押す（ステップＳ３０１）。次いで、バーコードをカメラ１３で撮像し、読み取る（ステップＳ３０２）。表示灯１８によって読み取り終了が知らされたら（ステップＳ３０３）、画像データを保持した資料を資料載置台１１に置いて登録スイッチ１７を押し（ステップＳ３０４）、カメラ１３で撮像して画像を読み取る。表示灯１８によって読み取り終了が知らされたら登録終了となる。これにより、独自の画像データとバーコードとがリンクされて記憶部４１に登録される。
【００２０】
次に、図４により、制御部３０によるプログラムの実行、すなわちプレゼンテーションの流れを説明すると、まず、プログラムの順にバーコードが貼られた台紙を資料載置台１１の定位置に置き（ステップＳ４０１）、開始スイッチ１９を押す（ステップＳ４０２）。すると、カメラ１３がバーコードを順に読み取り（ステップＳ４０３）、全てのバーコードを読み取ったら、表示灯１８が点灯して読み取り終了が知らされる（ステップＳ４０４）。次に、動作固有情報にリンクするプレゼンテーション動作、あるいはデータ固有情報にリンクするデータを記憶部４１から抽出し、それらに応じたプログラムを実行する（ステップＳ４０５）。
【００２１】
データ出力においては、データが画像の場合にはその画像が投影装置２０からスクリーンに投影され、データが音声の場合にはその音声がスピーカ２１から再生される。１つのバーコードに対応した１つのプレゼンテーション動作あるいはデータ出力が実行されると、読み取ったバーコードがプログラム終了の動作固有情報であるか否かを判断し（ステップＳ４０６）、終了情報でない場合はステップＳ４０５に戻り、終了情報であった場合はプログラムを終了する。
【００２２】
図５は、バーコードに応じて出力されるプログラムの例を示しており、この場合のデータの出力およびプレゼンテーション動作の順は、次の通りである。
１．画像Ａを表示　　（画像出力：データ固有情報）
２．音声Ｂを再生　　（音声出力：データ固有情報）
３．２分間待機　　　（プレゼンテーション動作出力：動作固有情報）
４．画像Ｃの表示　　（画像出力：データ固有情報）
５．次の入力待ち　　（プレゼンテーション動作出力：動作固有情報）
６．音声Ｄの再生　　（音声出力：データ固有情報）
７．プログラムの終了（プレゼンテーション動作出力：動作固有情報）
【００２３】
図５は、バーコードＢと、バーコードＢにリンクするデータやプレゼンテーション動作を対応させて示しているが、同図に示すように、バーコードＢのシールの端部に、そのバーコードＢにリンクする画像データやプレゼンテーション動作を付加させておくと、バーコードＢが保持する情報が何であるかが判るので好ましい。
【００２４】
以上がプログラム実行の流れであり、次いで、バーコードの読取方式の具体例を挙げる。
Ａ．台紙突き当て方式
図６に示すように、バーコードＢを貼る台紙５０に、バーコードＢの貼る位置を特定する枠５１を、「縦方向に５つ、左右２列」の状態で計１０個印刷し、読取順を、「左上から下、次いで右上から下」に設定する。枠５１の左側の数字１〜１０は、枠Ｎｏ．（枠ナンバー）であってバーコードＢの読み取り順である。この台紙５０に、プレゼンテーションに使うデータおよびプレゼンテーション動作に対応したバーコードＢを順番に貼る。最後に貼るバーコードＢは、プログラムの終了を促す動作固有情報である。そして、資料提示装置１０の資料載置台１１の右上に、Ｌ字状の突起からなるガイド１１ａを設けておき、このガイド１１ａの内側に、台紙５０の右上の角を突き当て、読取位置を定める。
【００２５】
図７に示すように、カメラ１３は１枚の台紙５０のバーコードを枠Ｎｏ．１から順に読み取っていき（ステップＳ７０１）、所定回数のバーコードの読み取りが終了したか否かを判断して（ステップＳ７０２）、所定回数が終了したら読み取りを終了する。
【００２６】
Ｂ．枠固定方式
図８に示すように、台紙５０に印刷した枠５１の左辺に、枠５１の位置を知らせる枠位置マーク５２を付加する。枠位置マーク５２は、不可視な赤外光吸収塗料を印刷することにより付加すると目立たなくて好ましい。そして、枠５１内にバーコードＢを貼り、この台紙５０を資料載置台１１に置く。
【００２７】
赤外光吸収塗料で枠位置マーク５２を付加した場合のバーコードの読み取りは、図９に示すように、まず、光学フィルタ１５をカメラ１３の撮像光路中に挿入し、赤外光ライト１６で、枠５１内にバーコードを貼った台紙５０を照射して、カメラ１３で台紙５０を撮像して画像を取り込む（ステップＳ９０１）。取り込んだ画像は、光学フィルタ１５の挿入により赤外光のみからなる画像であり、それはすなわち枠位置マーク５２である。次に、枠位置マーク５２の位置からバーコードが貼られた枠５１の位置（枠位置マーク５２の左側）を枠Ｎｏ．１から順に記憶する（ステップＳ９０２）。次いで、光学フィルタ１５を外し、赤外光ライト１６の照射を停止し、カメラ１３が１枚の台紙５０中のバーコードを枠Ｎｏ．１から順に読み取っていき（ステップＳ９０３）、所定回数の読み取りが終了したか否かを判断して（ステップＳ９０４）、所定回数が終了したら読み取りを終了する。
【００２８】
上記枠固定方式においては台紙５０のフォーマットに関する次の形態を付加することで、バーコードの読み取り作業をより的確に行うことができる。
（ａ）台紙に貼られるバーコードの枚数を認識する
図１０に示すように、台紙５０のヘッダ（上部余白欄）の左端部に、当該台紙５０はバーコードが何枚貼られるものであるかといったバーコード枚数情報を保持したバーコードＢ’が付加され、さらにこのバーコードＢ’の左側に、バーコードＢ’の位置を知らせるヘッダマークＨが、赤外光吸収塗料を印刷することにより付加されている。この台紙５０によれば、ヘッダマークＨを手掛かりにバーコードＢ’を読み取ってこの台紙５０が何枚のバーコードを貼るものであるかを認識し（図１０の台紙５０は１０枚用）、バーコードＢの読み取り時には１枚の台紙５０につき１０個のバーコードＢを読み取るようにする。
【００２９】
図１０では、１０個の枠５１に対して７枚のバーコードＢを貼ってあるが、枠５１に所定のバーコードがなかった場合は貼られてないと判断し、読み取りを終了するようにしてもよい。また、図１１に示すように、台紙５０のヘッダに左側から順にＮｏ．１〜１０の枠５１を選択するマークボックスＭを付加するとともに、これらマークボックスＭの位置を認識するためのヘッダマークＨ’を付加し、使用しないバーコードＢが貼られた枠５１に対応するマークボックスＭを黒塗りしてマークすることにより無効とし、マークしない枠のバーコードＢを有効として読み取るようにすることもできる。なお、この場合、上記とは逆に、黒塗りしてマークした枠５１のバーコードＢを有効とすることもできる。
【００３０】
（ｂ）台紙のサイズを認識する
図１２に示すように、台紙５０のヘッダの左端にヘッダマークＨ１を付加し、台紙５０のフッタ（下部余白欄）の右端にフッタマークＨ２を付加する。これらマークＨ１，Ｈ２は、いずれも赤外光吸収塗料を印刷することによって付加されている。この場合、バーコードＢの読取時には、まず、台紙５０の左上から所定形状のヘッダマークＨ１を探索し、ヘッダマークＨ１を検出したら、続いて枠位置マーク５２を順次読み取り、右下のフッタマークＨ２を認識したら、この台紙５０に関しての枠位置マーク５２に対応する枠５１の位置を記憶する。この場合、台紙５０のサイズに応じて読み取り位置の出発点をヘッダマークＨ１で認識し、終了点をフッタマークＨ２で認識する。したがって、バーコードＢの枚数すなわち枠５１は任意に設定することができる。
【００３１】
（ｃ）貼付位置フリー方式
図１３に示すように、バーコードＢが付加されたシールの左端に、バーコード位置マーク５３を付加する。バーコード位置マーク５３は、上記の枠位置マーク５２と同様に、赤外光吸収塗料の印刷によって付加することができる。そして、これらバーコードＢのシールを、台紙５０の左上から下、右上から下の順に台紙５０に貼る。バーコードＢを貼る位置は、図１３に示すように順番が正しければラフでよく、このようにバーコードＢを貼った台紙５０を、資料提示装置１０の資料載置台１１に置く。バーコードＢの読み取りは、図９に示した上記枠固定方式と同様である。この方式では、バーコードＢのシールにバーコード位置マーク５３が付加されているので、台紙５０に対するバーコードＢの貼る位置がラフであってもバーコードＢの位置を検出することができる。また、枠５１を印刷した専用の台紙を用いる必要がないといった利点もある。
【００３２】
図１４は、台紙が複数枚の場合のプロセスの例を示している。この場合、１枚目の台紙を資料載置台１１に置いてから開始スイッチ１９を押し（ステップＳ１４０１）、カメラ１３によって１つのバーコードを読み取る（ステップＳ１４０２）。そして、そのバーコードがプログラムの終了にリンクするものか否かを判断し（ステップＳ１４０３）、Ｎｏの場合は、台紙が１枚終了したか否かを判断する（ステップＳ１４０４）。台紙が１枚終了したら、２枚目の台紙を資料載置台１１に置き、ステップＳ１４０１に戻る。Ｓ１４０４がＮｏの場合にはステップＳ１４０２に戻り、バーコードの読み取りを続ける。ステップＳ１４０３でバーコードがプログラムの終了にリンクするものであると判断されたら、バーコードの読み取りを終了する。
【００３３】
以上の実施形態のシステムによれば、従来の専用の自動表示ソフトウェアを用いることなく、データの連続的かつ自動的な出力が可能になるとともに、プレゼンテーション動作が自動的に指示されてデータの出力動作が自動制御される。このようにしてプレゼンテーション動作を本システムに委ねることができるので、プレゼンターの負担が軽減され、場合によってはプレゼンターを配することなくプレゼンテーションを実施することができる。
【００３４】
また、本システムでは、用いるデータを、従来のように専用の自動表示ソフトウェアに適合させる必要はなく、画像や音声等をそのまま利用できるので、資料の作成が容易であるとともに、その資料は汎用性を有することになる。そして、特に専用の知識を要することなく簡単に使用することができるので、手軽に、かつ多くの人が利用できるといった利点がある。
【００３５】
【発明の効果】
以上説明したように、本発明によれば、プレゼンテーションに用いる各種データにリンクするデータ固有情報と、データの出力タイミング等のプレゼンテーション動作にリンクする動作固有情報とを、読取手段で読み取り、データ出力およびプレゼンテーション動作を自動的に実行させるシステムであり、これによって専用のソフトウェアを用いることなくプレゼンテーションを円滑に進めることができ、また、用いる資料の作成が容易で汎用性を持たせることもできるといった効果を奏する。
【図面の簡単な説明】
【図１】本発明の一実施形態に係るシステムを構成する装置を示す斜視図である。
【図２】システムの構成および機能を示すブロック図である。
【図３】独自のデータをバーコードにリンクさせて登録する動作例のフローチャートである。
【図４】プレゼンテーションの動作例を示すフローチャートである。
【図５】バーコードによって実行されるプログラムの例を示す図である。
【図６】バーコードの読取方式の１つである台紙突き当て方式を説明する図である。
【図７】台紙突き当て方式によるバーコードの読み取り動作のフローチャートである。
【図８】バーコードの読取方式の１つである枠固定方式を説明する図である。
【図９】枠固定方式によるバーコードの読み取り動作のフローチャートである。
【図１０】枠固定方式の他の例を説明する図である。
【図１１】読み取るバーコードを選択できる形式とした台紙の上部を示す図である。
【図１２】枠固定方式のさらに他の例を説明する図である。
【図１３】バーコードの読取方式の１つである貼付位置フリー方式を説明する図である。
【図１４】複数枚の台紙を読み取る場合の動作例を示すフローチャートである。
【符号の説明】
１１ａ…ガイド（位置決め手段）
１３…カメラ（読取手段、撮像手段）
２０…液晶プロジェクタ（データ出力手段、画像表示手段、投影装置）
２１…スピーカ（データ出力手段、音声発生手段）
３０…制御部
４１…記憶部
５０…台紙（シート）
５２…枠位置マーク（位置情報マーク）
５３…バーコード位置マーク（位置情報マーク）
Ｂ…バーコード
【図１】
2004020889.tif 000003
【図２】
2004020889.tif 000004
【図３】
2004020889.tif 000005
【図４】
2004020889.tif 000006
【図５】
2004020889.tif 000007
【図６】
2004020889.tif 000008
【図７】
2004020889.tif 000009
【図８】
2004020889.tif 000010
【図９】
2004020889.tif 000011
【図１０】
2004020889.tif 000012
【図１１】
2004020889.tif 000013
【図１２】
2004020889.tif 000014
【図１３】
2004020889.tif 000015
【図１４】
2004020889.tif 000016